(57)【要約】【課題】圧着端子や圧接端子を使用することなく電線の接続を簡便で確実に行えるとともに、電線の接続作業工数を減少させることが可能な電線ターミナル及びそのハウジングを提供する。【解決手段】電線ターミナル１０のハウジング１６に電線８を挿入して固定する奥行きのある電線固定孔１２と、電線固定孔１２の壁面と貫通する位置に配置した電線固定具挿入孔１４とを備えたので、ピン形状の電線固定具２２を打ち込むことにより電線ターミナル１０に対して電線８を固定することが可能となる。この場合に、ピン形状の電線固定具２２が先端のテーパ部分まで抜けることがなければ、電線８の固定力に影響はなく、安定した接続が確保できる。【選択図】    図１
2005302323.tif 000002
【特許請求の範囲】
【請求項１】
電線を挿入して固定する奥行きのある電線固定孔と、
前記電線固定孔の壁面と貫通する位置に配置した電線固定具挿入孔と、
を有することを特徴とする電線ターミナルのハウジング。
【請求項２】
電線を挿入して固定する奥行きのある電線固定孔と、前記電線固定孔の壁面と貫通する位置に配置した電線固定具挿入孔とを有する電線ターミナルのハウジングと、
電線固定孔に挿入した電線を前記電線固定孔内部の壁面に押付ける押付側面を有する電線固定具と、
を備えたことを特徴とする電線ターミナル。
【請求項３】
複数の電線を挿入して固定する奥行きのある複数の電線固定孔と、
前記複数の電線固定孔の壁面と貫通する位置に配置した電線固定具挿入孔と、
を有することを特徴とする電線ターミナルのハウジング。
【請求項４】
複数の電線を挿入して固定する奥行きのある電線固定孔と、前記複数の電線固定孔の壁面と貫通する位置に配置した電線固定具挿入孔とを有する電線ターミナルのハウジングと、
複数の電線固定孔に挿入した電線を前記それぞれの電線固定孔内部の壁面に押付ける押付側面を有する電線固定具と、
を備えたことを特徴とする電線ターミナル。
【請求項５】
電線を挿入して固定する奥行きのある電線固定孔と、
前記電線固定孔の壁面と貫通する位置に配置した雌ねじ付きの電線固定具挿入孔と、
を有することを特徴とする電線ターミナルのハウジング。
【請求項６】
電線を挿入して固定する奥行きのある電線固定孔と、前記電線固定孔の壁面と貫通する位置に配置した雌ねじ付きの電線固定具挿入孔とを有する電線ターミナルのハウジングと、
電線固定孔に挿入した電線を前記電線固定孔内部の壁面に押付ける押付側面と、前記ハウジングに配置した電線固定具挿入孔の雌ねじと螺合する雄ねじとを有する電線固定具と、
を備えたことを特徴とする電線ターミナル。
【請求項７】
複数の電線を挿入して固定する奥行きのある複数の電線固定孔と、
前記複数の電線固定孔の壁面と貫通する位置に配置した雌ねじ付きの電線固定具挿入孔と、
を有することを特徴とする電線ターミナルのハウジング。
【請求項８】
複数の電線を挿入して固定する奥行きのある電線固定孔と、前記複数の電線固定孔の壁面と貫通する位置に配置した雌ねじ付きの電線固定具挿入孔とを有する電線ターミナルのハウジングと、
複数の電線固定孔に挿入した電線を前記それぞれの電線固定孔内部の壁面に押付ける押付側面と、前記ハウジングに配置した電線固定具挿入孔の雌ねじと螺合する雄ねじとを有する電線固定具と、
を備えたことを特徴とする電線ターミナル。
【発明の詳細な説明】
【技術分野】
【０００１】
本発明は、電線を接続するターミナルに関する。
【背景技術】
【０００２】
従来の電線接続端子では、端子板に螺合した端子ネジに電線を巻き付けて、その後に端子ネジを締め付けることによって、電線を端子板に対して電気的、機械的に接続するように構成していた。
【０００３】
また従来、導電性金属板を凹状に折り曲げて相対向する側板に矩形口を穿設すると共に、内周底面にローレットと尖鋭突起を設けた端子金具と、一端両側に突起を設け、板面中央部に螺子孔を穿設し、前記端子金具に設けた矩形口に嵌装した螺子固定座と、頸部に細径部を形成し前記螺子固定座に設けた螺子孔に螺合した端子ネジと、導電性金属板からなり、前記端子ネジの頸部に形成した細径部に嵌合する長孔を穿設した上板と、端子金具の内周底面との間で電線を圧接掴持する下板とを連続一体にコ状に折り曲げ形成した電線押圧金具とからなることを特徴とする電線接続端子が知られている（例えば、特許文献１。）。
【特許文献１】特開平１１−６７２９２号公報  （第１−２ページ、第１図）
【発明の開示】
【発明が解決しようとする課題】
【０００４】
従来の端子板に螺合した端子ネジに電線を巻き付けたり、電線に加締付けた圧着端子を端子ネジに挿通して、端子ネジを締め付けて端子板に電線を接続する電線接続端子では、端子板に螺合した端子ネジを緩めて電線を巻き付ける作業が必要で、所定の作業工数を要するばかりでなく、撚線の接続においては、撚線のほつれが短絡事故を惹起するおそれがある。
【０００５】
また従来のねじ端子の構成の最低要件は雄ねじと雌ねじであるが、ねじの回転にしたがって電線が摩擦で回転方向に引っ張り込まれたりするために、摩擦よけの座金を加えたりする必要があった。更には、座金の回転止め機構や、線のはみ出し防止機構を加えたりする必要があった。このような構成を設けた場合であっても、ねじの緩みが少しでも生じると接続固定が開放され、電気的接続ができなくなるという欠点があった。
【０００６】
また、複数本の電線を接続固定する場合には、電線を各々より合わせしないと接続固定が不安定になる欠点があった。そして、撚り合わせできない大径の電線には、接続端子を取り付ける必要があった。
【０００７】
また従来の電線導体に圧着端子を加締付けし、該圧着端子を端子ネジに挿通して端子板に電線を接続する方法では、電線導体に圧着端子を加締付けするための専用の加締工具を必要とするとともに、電線導体に圧着端子を完全強固に加締付けする作業が必要となるという不具合を生じていた。
【０００８】
また従来の圧接端子を用いた電線の接続方法では、複数本の電線を接続しようとする場合に、一つの接続場所（すり割部）に複数本の電線を接続することができないため、接続場所（すり割部）を並列に並べる必要があり、多数本の接続を行なう場合には困難を生じていた。また、圧接作業時には専用の工具や治具が必要であり、簡易な作業で接続することができないという不具合を生じていた。
【０００９】
従来の電子機器のアースは機器ごとに個別に接地させていた。しかしながら、近年アースの等電位化が必要であるとの認識が広まり、アース線相互を一つにまとめて一カ所に統合接地する事例が増えている。
【００１０】
本発明は上記問題点に鑑みなされたもので、圧着端子や圧接端子を使用することなく電線の接続を簡便で確実に行うとともに、電線の接続作業工数を減少させることが可能な電線ターミナル及びそのハウジングを提供することを目的としている。
【課題を解決するための手段】
【００１１】
上記課題を解決するため、本発明に係る電線ターミナルのハウジングは、１乃至複数の電線を挿入して固定する奥行きのある電線固定孔と、１乃至複数の電線固定孔の壁面と貫通する位置に配置した電線固定具挿入孔とを備えたことを特徴とする。
【００１２】
また本発明に係る電線ターミナルは、電線を挿入して固定する奥行きのある電線固定孔と電線固定孔の壁面に貫通する位置に配置した電線固定具挿入孔とを有する電線ターミナルのハウジングと、電線を電線固定孔内部の壁面に押付ける押付側面を有する電線固定具とを備えたことを特徴とする。
【００１３】
また本発明は、電線ターミナルのハウジングに配置した電線固定具挿入孔に雌ねじを設け、電線固定孔に挿入した電線を電線固定孔内部の壁面に押付ける機能を備えた電線固定具を螺合して電線を固定することを特徴とする。
【発明の効果】
【００１４】
本発明によれば、電線ターミナルのハウジングに１乃至複数の電線を挿入して固定する奥行きのある電線固定孔と、１乃至複数の電線固定孔の壁面と貫通する位置に配置した電線固定具挿入孔とを備えたので、ピン形状の電線固定具を打ち込む（挿入する）ことにより電線ターミナルに電線を固定することが可能となる。この場合に、ピン形状の電線固定具のテーパ部まで抜けることがなければ、電線の固定力に影響はなく、安定した接続が確保できる。
【００１５】
また本発明によれば、電線ターミナルのハウジングに配置した１乃至複数の電線固定具挿入孔に雌ねじを設け、１乃至複数の電線固定孔に挿入した電線を電線固定孔内部の壁面に押付ける機能を備えた電線固定具を螺合して電線を固定するようにしたので、押付側面を有する電線固定具を螺入することによって電線ターミナルに電線を固定することが可能となる。この場合に、何らかの原因で多少電線固定具の螺合が緩んだとしても、電線の固定力に影響はなく、安定した接続を確保することができる。
【００１６】
また本発明によれば、一つの電線固定具を用いて１乃至複数の電線を電線ターミナルに接続することが可能となる。
【発明を実施するための最良の形態】
【００１７】
以下、本発明に係る電線ターミナルについて図面を用いて説明する。
図１は、本発明に係る電線ターミナルの基本構造を示す断面図である。
同図に示すように本発明に係る電線ターミナル１０は、電線８を挿入して固定する奥行きのある電線固定孔１２と、電線固定孔１２の壁面と貫通する位置に（交わるように）配置した電線固定具挿入孔１４とを有する電線ターミナルのハウジング１６と、電線固定孔１２に挿入した電線８を電線固定孔１２の内部の壁面に押付ける押付側面２０を有する電線固定具２２とを備えている。
【００１８】
図２は、本発明に係る電線ターミナルに電線を固定している状態を示す断面図である。
同図に示すように、電線ターミナル１０のハウジング１６に設けた電線固定孔１２には、電気的に接続する電線８（同図に示す例では単線）を通してある。その状態で電線固定具２２を電線固定具挿入孔１４に挿入すると、押付側面２０が電線８と接触する。電線固定具２２の押付側面２０は、電線８を電線固定孔１２の壁面１８に押し付けるので、電線８は変形しながら電線固定孔１２に対して電気的及び機械的に固定される。電線固定孔１２は電線８の外径よりも大きな孔にしているので、電線固定孔１２に電線８を挿入する際には隙間に余裕があるが、電線固定具２２を挿入することによって電線８が変形して電線固定具２２に引っかかる。この電線８の変形によって機械的な抜け止めの効果を発揮する。電線８は単線であってもよいし、より線であってもよい。
【００１９】
電線固定孔１２の直径と、心間Ｌ、電線固定具挿入孔１４の直径、押付側面２０の直径の各寸法は、電線８の線種（単線であるかより線であるかなど）や、電線８の太さ、材質に応じて適宜設計する。
この場合に、ピン形状の電線固定具２２が先端のテーパ部まで抜けることがなければ（押付側面２０が電線８に接している限りは）電線８の固定力に変化はないので、安定した接続を確保することができる。
【００２０】
図３は、電線固定孔と電線固定具挿入孔とが直交していない場合の実施例を示す断面図である。
同図に示すように本発明に係る電線ターミナル１０ａでは、電線固定孔１２ａと電線固定具挿入孔１４ａとが直交していない場合であっても、電線８をハウジング１６ａと電気的及び機械的に固定することが可能である。
【００２１】
この場合に、ハウジング１６ａに突起部１７ａが存在するなど、通常の電線ターミナルでは結線困難な部分についても、本発明に係る電線ターミナル１６ａを用いることによって電線８を接続することが可能となる。
【００２２】
図４は、電線固定孔の断面形状の種類を説明する断面図である。
同図に示すように、電線ターミナル１０ｂのハウジング１６ｂには、長孔の断面形状を有する電線固定孔１２ｂと、瓢箪形の断面形状を有する電線固定孔１２ｃと、円形断面を有する電線固定孔１２ｄ、１２ｄとを設けている。電線固定孔の断面形状は、挿入する電線の線種や直径、又は、挿入する電線固定具２２の押付側面２０の直径に応じて決定するとよい。
また同図に示すように、複数の電線８、８…を一つの電線固定具２２で電気的又は機械的に固定することが可能である。
【００２３】
図５は、電線固定孔を配置する位置のバリエーションを説明する斜視図である。
同図に示すように、複数の電線固定孔１２ｅ、１２ｅ、…は、互いに平行に配置してもよいし、所定の角度をもって配置するようにしてもよい。
このように、電線固定孔１２ｅをいろいろな方向に配置した場合であっても、複数の電線８、８、…を一つの電線固定具２２で電気的又は機械的に固定することが可能である。また同図に示す例では、ハウジング１６ｅを四角柱の形状にしているが、本発明はハウジングの形状を四角柱に限定するものではなく、多角形や円柱としてもよい。
【００２４】
図６は、電線固定具をねじ止め式にした場合の実施例を示す断面図である。
同図に示すように、電線ターミナル１０ｆのハウジング１６ｆには、電線８を挿入して固定する奥行きのある電線固定孔１２ｆ、１２ｆと、電線固定孔１２ｆ、１２ｆと貫通する位置に配置した雌ねじ１９ｆ付きの電線固定具挿入孔１４ｆとを設けてある。
【００２５】
一方の電線固定具２２ｆには、電線固定孔１４ｆに挿入した電線８を電線固定孔１２ｆの内部の壁面に押付ける機能を有する押付側面２０ｆと、ハウジング１６ｆに配置した電線固定具挿入孔１４ｆの雌ねじ１９ｆと螺合する雄ねじ２４ｆとを備えてある。
【００２６】
同図に示すように、押付側面２０ｆを有する電線固定具２２ｆをハウジング１６ｆに螺入することによって、電線ターミナル１６ｆに電線８を電気的及び機械的に固定することが可能となる。この場合に、何らかの原因で多少電線固定具２２ｆの螺合が緩んだとしても、電線８の固定力に影響はなく、安定した接続を確保することができる。
【００２７】
この場合にも、一つの電線固定具２２ｆを用いて１乃至複数の電線８を電線ターミナル１０ｆに接続することが可能である。また同図に示すように、ハウジング１６ｆに設けた電線固定孔１２ｆ、１２ｆのうち使用しない孔があっても、問題なく電線８を接続することが可能である。
【産業上の利用可能性】
【００２８】
本発明によれば、被覆を剥いだままの芯線を電線ターミナルに接続することが可能となるので、電線の接続作業が容易となる。また、電線の接続をより確実に行なうことが可能となるとともに、省スペースで小型の電線ターミナルを提供することが可能となる。
【００２９】
また本発明によれば、一つの電線固定具を用いて１乃至複数の電線を電線ターミナルに接続することが可能となるので、少ないスペースで一点アースを行なうことが可能となり、微弱な電流を扱う機器においても電気的な特性を向上させることが可能となる。
【図面の簡単な説明】
【００３０】
【図１】本発明に係る電線ターミナルの基本構造を示す断面図である。
【図２】本発明に係る電線ターミナルに電線を固定している状態を示す断面図である。
【図３】電線固定孔と電線固定具挿入孔とが直交していない場合の実施例を示す断面図である。
【図４】電線固定孔の断面形状の種類を説明する断面図である。
【図５】電線固定孔を配置する位置のバリエーションを説明する斜視図である。
【図６】電線固定具をねじ止め式にした場合の実施例を示す断面図である。
【符号の説明】
【００３１】
８…電線
１０、１０ａ、１０ｂ…電線ターミナル
１２、１２ａ、１２ｂ、１２ｃ、１２ｄ、１２ｅ、１２ｆ…電線固定孔
１４、１４ａ、１４ｂ、１４ｅ、１４ｆ…電線固定具挿入孔
１６、１６ａ、１６ｂ、１６ｅ、１６ｆ…ハウジング
１７ａ…突起部
１８…壁面
１９ｆ…雌ねじ
２０…押付側面
２２…電線固定具
２４ｆ…雄ねじ
【図１】
2005302323.tif 000003
【図２】
2005302323.tif 000004
【図３】
2005302323.tif 000005
【図４】
2005302323.tif 000006
【図５】
2005302323.tif 000007
【図６】
2005302323.tif 000008